【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
複数の給紙部を有する印刷装置に対して、印刷データを出力するデータ処理装置であって、
前記印刷装置への出力対象の印刷データに対する印刷設定情報を設定する設定手段と、
前記印刷設定情報を含む印刷データを生成する生成手段と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較手段と、
前記比較手段の比較結果に基づいて、警告情報を出力する警告情報出力手段と
を備えることを特徴とするデータ処理装置。
【請求項２】
複数の給紙部を有する印刷装置に対して、印刷データを出力するデータ処理装置であって、
前記印刷装置への出力対象の印刷データに対する印刷設定情報を設定する設定手段と、
前記印刷設定情報を含む印刷データを生成する生成手段と、
前記印刷装置で選択されている給紙部に関する給紙部情報を該印刷装置から取得する取得手段と、
前記出力対象の印刷データの前記印刷設定情報中の印刷用紙の給紙方法として、前記印刷装置で選択されている給紙部が指定されている場合、該出力対象の印刷データを該印刷装置へ出力する前に、前記印刷設定情報中の印刷用紙に関する用紙情報と前記取得手段で取得した給紙部情報とを比較する比較手段と、
前記比較手段の比較結果に基づいて、警告情報を出力する警告情報出力手段と
を備えることを特徴とするデータ処理装置。
【請求項３】
複数の給紙部を有する印刷装置に対して、印刷データを出力するデータ処理装置であって、
前記印刷装置への出力対象の印刷データに対する印刷設定情報を設定する設定手段と、
前記印刷設定情報を含む印刷データを生成する生成手段と、
前記出力対象の印刷データの前記印刷設定情報中の印刷用紙の給紙方法として、前記複数の給紙部を１つの給紙部とする論理給紙部が指定されている場合、該出力対象の印刷データを出力する前に、前記印刷設定情報中の印刷用紙に関する用紙情報と前記論理給紙部に関する給紙部情報とを比較する比較手段と、
前記比較手段の比較結果に基づいて、警告情報を出力する警告情報出力手段と
を備えることを特徴とするデータ処理装置。
【請求項４】
前記用紙情報は、印刷用紙サイズ情報を含む
ことを特徴とする請求項１乃至３のいずれか１項に記載のデータ処理装置。
【請求項５】
前記比較手段は、前記用紙情報が示す第１印刷用紙サイズが、前記給紙部情報が示す給紙可能な第２印刷用紙サイズの範囲内であるか否かを比較し、
前記比較手段の比較の結果、前記第１印刷用紙サイズが、前記第２印刷用紙サイズの範囲内に含まれない場合、前記警告情報出力手段は、前記警告情報を出力する
ことを特徴とする請求項４に記載のデータ処理装置。
【請求項６】
前記用紙情報が示す第１印刷用紙サイズを給紙可能な、前記給紙部情報が示す第１給紙部以外の第２給紙部が存在する場合、前記警告情報出力手段は、第１警告画面を出力し、それ以外の場合は、第２警告画面を出力する
ことを特徴とする請求項５に記載のデータ処理装置。
【請求項７】
前記印刷装置は、印刷に使用する給紙部として、前記複数の給紙部のいずれか１つを選択する選択手段を備え、
前記第１警告画面は、前記選択手段を操作することによって、前記第１給紙部以外の第２給紙部を用いた印刷続行が可能である旨を示す画面であり、前記第２警告画面は、印刷続行が不可能である旨を示す画面である
ことを特徴とする請求項６に記載のデータ処理装置。
【請求項８】
前記用紙情報は、印刷用紙サイズ情報及び印刷用紙種類情報を含む
ことを特徴とする請求項１乃至３のいずれか１項に記載のデータ処理装置。
【請求項９】
前記比較手段は、前記用紙情報が示す第１印刷用紙サイズ及び第１印刷用紙種類が、前記給紙部情報が示す給紙可能な第２印刷用紙サイズ及び第２印刷用紙種類の範囲内であるか否かを比較し、
前記比較手段の比較の結果、前記第１印刷用紙サイズ及び第１印刷用紙種類が、前記第２印刷用紙サイズ及び第２印刷用紙種類の範囲内に含まれない場合、前記警告情報出力手段は、前記警告情報を出力する
ことを特徴とする請求項８に記載のデータ処理装置。
【請求項１０】
前記用紙情報が示す第１印刷用紙サイズ及び第１印刷用紙種類を給紙可能な、前記給紙部情報が示す第１給紙部以外の第２給紙部が存在する場合、前記警告情報出力手段は、第１警告画面を出力し、それ以外の場合は、第２警告画面を出力する
ことを特徴とする請求項９に記載のデータ処理装置。
【請求項１１】
前記印刷装置は、印刷に使用する給紙部として、前記複数の給紙部のいずれか１つを選択する選択手段を備え、
前記第１警告画面は、前記選択手段を操作することによって、前記第１給紙部以外の第２給紙部を用いた印刷続行が可能である旨を示す画面であり、前記第２警告画面は、印刷続行が不可能である旨を示す画面である
ことを特徴とする請求項１０に記載のデータ処理装置。
【請求項１２】
前記比較手段の比較結果に基づいて、前記出力対象の印刷データを前記印刷装置へ出力する出力制御手段を更に備える
ことを特徴とする請求項１乃至３のいずれか１項に記載のデータ処理装置。
【請求項１３】
複数の給紙部を有する印刷装置に対して、印刷データを出力するデータ処理装置における印刷制御方法であって、
前記印刷装置への出力対象の印刷データに対する印刷設定情報を設定する設定工程と、
前記印刷設定情報を含む印刷データを生成する生成工程と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較工程と、
前記比較工程の比較結果に基づいて、警告情報を出力する警告情報出力工程と
を備えることを特徴とする印刷制御方法。
【請求項１４】
複数の給紙部を有する印刷装置に対して、印刷データを出力するデータ処理装置における印刷制御方法であって、
前記印刷装置への出力対象の印刷データに対する印刷設定情報を設定する設定工程と、
前記印刷設定情報を含む印刷データを生成する生成工程と、
前記印刷装置で選択されている給紙部に関する給紙部情報を該印刷装置から取得する取得工程と、
前記出力対象の印刷データの前記印刷設定情報中の印刷用紙の給紙方法として、前記印刷装置で選択されている給紙部が指定されている場合、該出力対象の印刷データを該印刷装置へ出力する前に、前記印刷設定情報中の印刷用紙に関する用紙情報と前記取得工程で取得した給紙部情報とを比較する比較工程と、
前記比較工程の比較結果に基づいて、警告情報を出力する警告情報出力工程と
を備えることを特徴とする印刷制御方法。
【請求項１５】
複数の給紙部を有する印刷装置に対して、印刷データを出力するデータ処理装置における印刷制御方法であって、
前記印刷装置への出力対象の印刷データに対する印刷設定情報を設定する設定工程と、
前記印刷設定情報を含む印刷データを生成する生成工程と、
前記出力対象の印刷データの前記印刷設定情報中の印刷用紙の給紙方法として、前記複数の給紙部を１つの給紙部とする論理給紙部が指定されている場合、該出力対象の印刷データを出力する前に、前記印刷設定情報中の印刷用紙に関する用紙情報と前記論理給紙部に関する給紙部情報とを比較する比較工程と、
前記比較工程の比較結果に基づいて、警告情報を出力する警告出力工程と
を備えることを特徴とする印刷制御方法。
【請求項１６】
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較機能と、
前記比較機能の比較結果に基づいて、警告情報を出力する警告情報出力機能と
をコンピュータに実行させることを特徴とするプログラム。
【請求項１７】
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記印刷装置で選択されている給紙部に関する給紙部情報を該印刷装置から取得する取得機能と、
前記出力対象の印刷データの前記印刷設定情報中の印刷用紙の給紙方法として、前記印刷装置で選択されている給紙部が指定されている場合、該出力対象の印刷データを該印刷装置へ出力する前に、前記印刷設定情報中の印刷用紙に関する用紙情報と前記取得機能で取得した給紙部情報とを比較する比較機能と、
前記比較機能の比較結果に基づいて、警告情報を出力する警告情報出力機能と
をコンピュータに実行させることを特徴とするプログラム。
【請求項１８】
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記出力対象の印刷データの前記印刷設定情報中の印刷用紙の給紙方法として、前記複数の給紙部を１つの給紙部とする論理給紙部が指定されている場合、該出力対象の印刷データを出力する前に、前記印刷設定情報中の印刷用紙に関する用紙情報と前記論理給紙部に関する給紙部情報とを比較する比較機能と、
前記比較機能の比較結果に基づいて、警告情報を出力する警告出力機能と
をコンピュータに実行させることを特徴とするプログラム。
【請求項１９】
印刷装置本体で指定される給紙部で印刷する設定であるか否かを判別する判別手段と、
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、プリンタ本体で指定される給紙部で印刷する設定でないと判別された場合、印刷ジョブで指定されている用紙サイズに基づいて、サポート外用紙の判定を行う判定手段と、
前記判定手段による判定結果に応じて警告を行う警告手段と
を備えることを特徴とするデータ処理装置。
【請求項２０】
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、ホスト側で指定した給紙部で印刷する設定であると判別された場合、印刷ジョブで指定されている用紙サイズに基づいて、サポート外用紙の判定を行う判定手段と、
前記判定手段による判定結果に応じて警告を行う警告手段と
を備えることを特徴とするデータ処理装置。
【請求項２１】
自動切替で給紙部を選択する設定であるか否かを判別する判別手段と、
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、自動切替で給紙部を選択する設定でないと判別された場合、印刷ジョブで指定されている用紙サイズに基づいて、サポート外用紙の判定を行う判定手段と、
前記判定手段による判定結果に応じて警告を行う警告手段と
を備えることを特徴とするデータ処理装置。
【請求項２２】
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、ホスト側で指定した給紙部を選択する設定であると判別された場合、印刷ジョブで指定されている用紙サイズに基づいて、サポート外用紙の判定を行う判定手段と、
前記判定手段による判定結果に応じて警告を行う警告手段と
を備えることを特徴とするデータ処理装置。
【請求項２３】
プリンタ本体で指定される給紙部で印刷する設定であるか否かを判別する判別工程と、
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、プリンタ本体で指定される給紙部で印刷する設定でないと判別された場合、印刷ジョブで指定されている用紙サイズに基づいて、サポート外用紙の判定を行う判定工程と、
前記判定工程による判定結果に応じて警告を行う警告工程と
を備えることを特徴とする印刷制御方法。
【請求項２４】
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、ホスト側で指定した給紙部で印刷する設定であると判別された場合、印刷ジョブで指定されている用紙サイズに基づいて、サポート外用紙の判定を行う判定工程と、
前記判定工程による判定結果に応じて警告を行う警告工程と
を備えることを特徴とする印刷制御方法。
【請求項２５】
自動切替で給紙部を選択する設定であるか否かを判別する判別工程と、
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、自動切替で給紙部を選択する設定でないと判別された場合、印刷ジョブで指定されている用紙サイズに基づいて、サポート外用紙の判定を行う判定工程と、
前記判定工程による判定結果に応じて警告を行う警告工程と
を備えることを特徴とする印刷制御方法。
【請求項２６】
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、ホスト側で指定した給紙部を選択する設定であると判別された場合、印刷ジョブで指定されている用紙サイズに基づいて、サポート外用紙の判定を行う判定工程と、
前記判定工程による判定結果に応じて警告を行う警告工程と
を備えることを特徴とする印刷制御方法。
【請求項２７】
プリンタ本体で指定される給紙部で印刷する設定であるか否かを判別する判別機能と、
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、プリンタ本体で指定される給紙部で印刷する設定でないと判別された場合、印刷ジョブで指定されている用紙サイズに基づいて、サポート外用紙の判定を行う判定機能と、
前記判定機能による判定結果に応じて警告を行う警告機能と
をコンピュータに実行させることを特徴とするプログラム。
【請求項２８】
プリンタ本体で指定される給紙部で印刷する設定であると判別された場合、プリンタからプリンタで指定されている給紙部の情報を取得し、取得した給紙部の情報と印刷ジョブで指定されている用紙サイズとに基づいて、サポート外用紙の判定を行い、ホスト側で指定した給紙部で印刷する設定であると判別された場合、印刷ジョブで指定されている用紙サイズに基づいて、サポート外用紙の判定を行う判定機能と、
前記判定機能による判定結果に応じて警告を行う警告機能と
を備えることを特徴とするプログラム。
【請求項２９】
自動切替で給紙部を選択する設定であるか否かを判別する判別機能と、
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、自動切替で給紙部を選択する設定でないと判別された場合、印刷ジョブで指定されている用紙サイズに基づいて、サポート外用紙の判定を行う判定機能と、
前記判定機能による判定結果に応じて警告を行う警告機能と
を備えることを特徴とするプログラム。
【請求項３０】
自動切替で給紙部を選択する設定であると判別された場合、対象となる給紙部のサポート用紙サイズをマージし、マージした用紙サイズと印刷ジョブで指定されている用紙サイズとに基づいて、サポート外用紙の判定を行い、ホスト側で指定した給紙部を選択する設定であると判別された場合、印刷ジョブで指定されている用紙サイズに基づいて、サポート外用紙の判定を行う判定機能と、
前記判定機能による判定結果に応じて警告を行う警告機能と
を備えることを特徴とするプログラム。
【手続補正２】
【補正対象書類名】明細書
【補正対象項目名】００２０
【補正方法】変更
【補正の内容】
【００２０】
上記の目的を達成するための本発明によるデータ処理装置は以下の構成を備える。即ち、
複数の給紙部を有する印刷装置に対して、印刷データを出力するデータ処理装置であって、
前記印刷装置への出力対象の印刷データに対する印刷設定情報を設定する設定手段と、
前記印刷設定情報を含む印刷データを生成する生成手段と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較手段と、
前記比較手段の比較結果に基づいて、警告情報を出力する警告情報出力手段と
を備える。
【手続補正３】
【補正対象書類名】明細書
【補正対象項目名】００２４
【補正方法】変更
【補正の内容】
【００２４】
また、好ましくは、前記比較手段は、前記用紙情報が示す第１印刷用紙サイズが、前記給紙部情報が示す給紙可能な第２印刷用紙サイズの範囲内であるか否かを比較し、
前記比較手段の比較の結果、前記第１印刷用紙サイズが、前記第２印刷用紙サイズの範囲内に含まれない場合、前記警告情報出力手段は、前記警告情報を出力する。
【手続補正４】
【補正対象書類名】明細書
【補正対象項目名】００２５
【補正方法】変更
【補正の内容】
【００２５】
また、好ましくは、前記用紙情報が示す第１印刷用紙サイズを給紙可能な、前記給紙部情報が示す第１給紙部以外の第２給紙部が存在する場合、前記警告情報出力手段は、第１警告画面を出力し、それ以外の場合は、第２警告画面を出力する。
【手続補正５】
【補正対象書類名】明細書
【補正対象項目名】００２６
【補正方法】変更
【補正の内容】
【００２６】
また、好ましくは、前記印刷装置は、印刷に使用する給紙部として、前記複数の給紙部のいずれか１つを選択する選択手段を備え、
前記第１警告画面は、前記選択手段を操作することによって、前記第１給紙部以外の第２給紙部を用いた印刷続行が可能である旨を示す画面であり、前記第２警告画面は、印刷続行が不可能である旨を示す画面である。
【手続補正６】
【補正対象書類名】明細書
【補正対象項目名】００２８
【補正方法】変更
【補正の内容】
【００２８】
また、好ましくは、前記比較手段は、前記用紙情報が示す第１印刷用紙サイズ及び第１印刷用紙種類が、前記給紙部情報が示す給紙可能な第２印刷用紙サイズ及び第２印刷用紙種類の範囲内であるか否かを比較し、
前記比較手段の比較の結果、前記第１印刷用紙サイズ及び第１印刷用紙種類が、前記第２印刷用紙サイズ及び第２印刷用紙種類の範囲内に含まれない場合、前記警告情報出力手段は、前記警告情報を出力する。
【手続補正７】
【補正対象書類名】明細書
【補正対象項目名】００２９
【補正方法】変更
【補正の内容】
【００２９】
また、好ましくは、前記用紙情報が示す第１印刷用紙サイズ及び第１印刷用紙種類を給紙可能な、前記給紙部情報が示す第１給紙部以外の第２給紙部が存在する場合、前記警告情報出力手段は、第１警告画面を出力し、それ以外の場合は、第２警告画面を出力する。
【手続補正８】
【補正対象書類名】明細書
【補正対象項目名】００３０
【補正方法】変更
【補正の内容】
【００３０】
前記印刷装置は、印刷に使用する給紙部として、前記複数の給紙部のいずれか１つを選択する選択手段を備え、
前記第１警告画面は、前記選択手段を操作することによって、前記第１給紙部以外の第２給紙部を用いた印刷続行が可能である旨を示す画面であり、前記第２警告画面は、印刷続行が不可能である旨を示す画面である。
【手続補正９】
【補正対象書類名】明細書
【補正対象項目名】００３２
【補正方法】変更
【補正の内容】
【００３２】
上記の目的を達成するための本発明による印刷制御方法は以下の構成を備える。即ち、
複数の給紙部を有する印刷装置に対して、印刷データを出力するデータ処理装置における印刷制御方法であって、
前記印刷装置への出力対象の印刷データに対する印刷設定情報を設定する設定工程と、
前記印刷設定情報を含む印刷データを生成する生成工程と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較工程と、
前記比較工程の比較結果に基づいて、警告情報を出力する警告情報出力工程と
を備える。
【手続補正１０】
【補正対象書類名】明細書
【補正対象項目名】００３５
【補正方法】変更
【補正の内容】
【００３５】
上記の目的を達成するための本発明によるプログラムは以下の構成を備える。即ち、
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記出力対象の印刷データの前記印刷設定情報中の印刷用紙の給紙方法として、前記印刷装置に依存する給紙方法が指定されている場合、該出力対象の印刷データを該印刷装置へ出力する前に、前記印刷設定情報中の印刷用紙に関する用紙情報と前記給紙方法で示される給紙部情報とを比較する比較機能と、
前記比較機能の比較結果に基づいて、警告情報を出力する警告情報出力機能と
をコンピュータに実行させる。
【手続補正１１】
【補正対象書類名】明細書
【補正対象項目名】００３６
【補正方法】変更
【補正の内容】
【００３６】
上記の目的を達成するための本発明によるプログラムは以下の構成を備える。即ち、
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記印刷装置で選択されている給紙部に関する給紙部情報を該印刷装置から取得する取得機能と、
前記出力対象の印刷データの前記印刷設定情報中の印刷用紙の給紙方法として、前記印刷装置で選択されている給紙部が指定されている場合、該出力対象の印刷データを該印刷装置へ出力する前に、前記印刷設定情報中の印刷用紙に関する用紙情報と前記取得機能で取得した給紙部情報とを比較する比較機能と、
前記比較機能の比較結果に基づいて、警告情報を出力する警告情報出力機能と
をコンピュータに実行させる。
【手続補正１２】
【補正対象書類名】明細書
【補正対象項目名】００３７
【補正方法】変更
【補正の内容】
【００３７】
上記の目的を達成するための本発明によるプログラムは以下の構成を備える。即ち、
複数の給紙部を有する印刷装置に対して、印刷データを出力するデータ処理装置における印刷制御をコンピュータに実行させるためのプログラムであって、
前記印刷装置への出力対象の印刷データに対する印刷設定情報を設定する設定機能と、
前記印刷設定情報を含む印刷データを生成する生成機能と、
前記出力対象の印刷データの前記印刷設定情報中の印刷用紙の給紙方法として、前記複数の給紙部を１つの給紙部とする論理給紙部が指定されている場合、該出力対象の印刷データを出力する前に、前記印刷設定情報中の印刷用紙に関する用紙情報と前記論理給紙部に関する給紙部情報とを比較する比較機能と、
前記比較機能の比較結果に基づいて、警告情報を出力する警告出力機能と
をコンピュータに実行させる。